(57)【特許請求の範囲】
【請求項１】
表面に合成エラストマーが配置されたエラストマーシートからなり、該合成エラストマーが清掃面を形成する清掃用品であって、
前記エラストマーシートは、その最大静止摩擦力が９．８〜２９Ｎである〔前記最大静止摩擦力は、分銅（質量：１ｋｇ、底面は平面で外形は５０ｍｍ×７５ｍｍの長方形状）の底面全面に前記エラストマーシートを貼り付け、該エラストマーシートの貼り付けられた前記分銅を、水平板上に拡げたカーペット（材質：ポリプロピレン、パイル形状：カット、パイル長：７ｍｍ、パイル密度：Ｇ１／１０、Ｓ４３／１０ｃｍ）の上に載置し、該分銅をその底面の長辺（７５ｍｍ）方向に移動させたときの摩擦力〕清掃用品。
【請求項２】
前記エラストマーシートは、シート状の支持材の表面に前記合成エラストマーがラミネートされて構成されている請求項１記載の清掃用品。
【請求項３】
前記合成エラストマーは、その表面が凹凸加工されているか、又は部分開孔されているシート状物である請求項１記載の清掃用品。
【請求項４】
前記支持材が不織布又はフィルムからなる請求項２記載の清掃用品。
【請求項５】
クッション材を更に備え、該クッション材が前記支持材側に貼り付けられており、該クッション材が貼り付けられた状態の前記エラストマーシートが、前記合成エラストマーが外側に配置されるように折り返されている請求項２記載の清掃用品。
【請求項６】
凹部を有する把持部材、及び該凹部に嵌入される凸部を有するクッション材を更に備え、前記凹部に嵌入された状態の前記クッション材の表面の一部に、前記エラストマーシートが、その合成エラストマーが外側に配置されるように取り付けられている請求項１記載の清掃用品。
【請求項７】
前記合成エラストマーが、ウレタン系、スチレン系、オレフィン系、塩化ビニル系、エステル系若しくはアミド系エラストマー、又はこれらのエラストマーの２種以上の混合物からなる請求項１記載の清掃用品。
【発明の詳細な説明】
【０００１】
【発明の属する技術分野】
本発明は、清掃面を擦過することにより被清掃物に付着したペットの毛や毛髪等の付着物を除去する清掃用品に関する。
【０００２】
【従来の技術及び発明が解決しようとする課題】
カーペットの表面に付着したペットの毛や毛髪等の付着物は、カーペットの表面に強固にこびり付いているため、カーペットの表面から容易に除去することができず、例えば、電動掃除機で吸引してもほとんど除去できない。
【０００３】
清掃面に粘着材が配置された清掃用品が知られている。該清掃用品は、カーペットの表面に付着したペットの毛等を、前記粘着材の粘着力を利用して前記粘着材の表面に付着させることにより、カーペットの表面から除去するものである。しかし、繰り返し使用により粘着材の粘着力が低下するので粘着材を更新して粘着力を回復させる必要があり、また、繰り返し使用するには省資源の面で問題がある。
【０００４】
また、天然ゴムの発泡成形体からなるブロック状で、該天然ゴムが清掃面を形成する清掃用品（以下、天然ゴム製用具という）も知られている。この天然ゴム製用具は、その清掃面とペットの毛等との間の摩擦力が、カーペットの表面とペットの毛等との間の摩擦力より大きいことを利用し、前記清掃面でカーペットの表面を擦過することで、カーペットの表面に付着したペットの毛等を除去しようとするものである。
【０００５】
しかし、前記天然ゴム製用具においては、清掃面の耐摩擦性が低いため清掃面の天然ゴムが剥離すると共に、除去されたペットの毛等が静電気により清掃面に再付着するため清掃面に再付着したペットの毛等を別途除去する必要がある。また、前記天然ゴム製用具は、耐光性が極めて弱く、光の照射により清掃面の摩擦係数が低下するため、清掃面とペットの毛等との間の前記摩擦力が低下し、ペットの毛等を除去する能力が低下する。更に、前記天然ゴム製用具は、洗浄した後、日に当てて干すと清掃面の天然ゴムが剥離し、また、このような天然ゴムの剥離を防止するために陰干しすると乾くのに極めて時間がかかる。このように、前記天然ゴム製用具は繰り返し使用に不適である。
【０００６】
従って、本発明の目的は、カーペット等の被清掃物に付着したペットの毛等の付着物を容易に除去できると共に、繰り返し使用に好適な清掃用品を提供することにある。
【０００７】
【課題を解決するための手段】
本発明は、表面に合成エラストマーが配置されたエラストマーシートからなり、該合成エラストマーが清掃面を形成する清掃用品であって、前記エラストマーシートは、その最大静止摩擦力が９．８〜２９Ｎである〔前記最大静止摩擦力は、分銅（質量：１ｋｇ、底面は平面で外形は５０ｍｍ×７５ｍｍの長方形状）の底面全面に前記エラストマーシートを貼り付け、該エラストマーシートの貼り付けられた前記分銅を、水平板上に拡げたカーペット（材質：ポリプロピレン、パイル形状：カット、パイル長：７ｍｍ、パイル密度：Ｇ１／１０、Ｓ４３／１０ｃｍ）の上に載置し、該分銅をその底面の長辺（７５ｍｍ）方向に移動させたときの摩擦力〕清掃用品を提供することにより、前記の目的を達成したものである。
【０００８】
【発明の実施の形態】
以下、本発明の清掃用品を、その好ましい一実施形態について、図面を参照しながら詳細に説明する。第１実施形態の清掃用品は、図１（ａ）に示すように、表面に合成エラストマー２が配置されたエラストマーシート１からなり、該合成エラストマー２が清掃面を形成する清掃用品であって、前記エラストマーシート１は、以下の方法で測定されるその最大静止摩擦力が９．８〜２９Ｎ、好ましくは１５〜２６Ｎ、更に好ましくは１８〜２３Ｎである。
【０００９】
前記最大制止摩擦力は、以下の手順で測定される。質量が１ｋｇで、底面が平面で５０ｍｍ×７５ｍｍの長方形状の分銅における該底面の全面に前記エラストマーシートを貼り付ける。貼り付けには両面テープ（ＮＩＣＨＩＢＡＮ社、商品名ナイスタック）を用いる。前記エラストマーシートが貼り付けられた前記分銅を、水平板上に拡げられたカーペット上に、前記エラストマーシートが前記カーペットと当接するように載置する。前記カーペットのパイルは、ポリプロピレン製であり、パイル形状はカット、パイル長は７ｍｍ、パイル密度はＧ１／１０、Ｓ４３／１０ｃｍである。このようなカーペットとしては、後述する実施例に用いられている住江織物（株）製の商品名「スミノエタイルカーペット  ＵＳ−３０００」を用いることができる。前記カーペット上に載置された前記分銅を、その底面の長辺（７５ｍｍ）方向に、水平に３ｍ／ｍｉｎの速度で移動させたときの摩擦力の最大値を測定する。測定は３回行い、その平均値を最大制止摩擦力とする。
【００１０】
本実施形態の清掃用品を更に詳細に説明すると、図１（ａ）に示すように、前記エラストマーシート１は、不織布からなるシート状の支持材３の表面にウレタン系の合成エラストマー２がラミネートされて構成されており、また、該合成エラストマー２はその表面に、凹凸加工により複数の凸部２１及び凹部２２が平面視で縦横に形成されているシート状物である。前記エラストマーシート１は、例えば、表面に凹凸が形成されたエンボスロールにより、支持材３に合成エラストマー２をラミネートして得ることができる。合成エラストマー２の表面に凹凸加工を施すことで、合成エラストマーのブロッキングを防止できる。また、カーペットに付着した皮脂などを効率的に掻き集められる。
【００１１】
合成エラストマー２の表面に凹凸加工を施す場合、凸部２１と凹部２２との面積比（前者／後者）は、１０／９０〜５０／５０、特に１５／８５〜３０／７０であることが、耐ブロッキング性及び皮脂の捕集性の点から好ましい。
【００１２】
凹部２２は、円形、三角形や矩形等の多角形、又はこれらの組み合わせからなる独立した形状のものが規則的に又は不規則に配置されて構成されていてもよく、あるいは直線、曲線又はこれらの組み合わせからなる連続した形状のものが規則的に又は不規則に配置されて構成されていてもよい。凹部２２が独立した形状である場合、個々の凹部２２の面積は０．０１〜１ｍｍ２、特に０．０５〜０．５ｍｍ２であることが、耐ブロッキング性の点から好ましい。また、隣り合う凹部間の距離は０．０１〜４ｍｍ、特に０．０５〜２ｍｍであることが、耐ブロッキング及び合成エラストマーの面の有効活用の点から好ましい。
【００１３】
支持材３を構成する不織布としては、ポリオレフィン系樹脂、ポリエステル系樹脂、ポリアミド系樹脂等の樹脂又はこれらの組み合わせからなる繊維を用い、スパンボンド法やスパンレース法により製造されたものを好適に用いることができる。不織布の坪量は、１０〜１００ｇ／ｍ２、特に２０〜７０ｇ／ｍ２であることが、取り扱い性及び手へのなじみやすさの点から好ましい。
【００１４】
本発明の清掃用品に係る合成エラストマーは、ウレタン系に限られず、例えば、スチレン系、オレフィン系、塩化ビニル系、エステル系若しくはアミド系エラストマー、又はこれらのエラストマーを２種以上選択した混合物からなるものを使用することができる。耐摩擦性の点で、特にウレタン系エラストマーが好ましい。
【００１５】
合成エラストマーの坪量は、１０〜２００ｇ／ｍ２、特に２０〜１５０ｇ／ｍ２であることが、加工性、経済性及び取り扱い性の点から好ましい。
【００１６】
本実施形態の清掃用品は、例えば、図１（ｂ）に示すように、エラストマーシート１の支持材３側に、ウレタン樹脂からなるクッション材４を貼り付けて、適度に剛性を持たせた形態とし、更に、クッション材４の貼り付けられたエラストマーシート１を合成エラストマー２が外側に配置されるように２度折り返した後、把持部材５により把持されて使用される。ここで、合成エラストマー２における露出している領域、即ち図１（ｂ）において２点鎖線で示す領域が、清掃面Ｓを形成する。
【００１７】
本実施形態の清掃用品においては、前述の使用形態にして、把持部材５を手で持ち、清掃面Ｓでカーペットの表面を擦過すると、清掃面Ｓの合成エラストマー２とペットの毛等との間の摩擦力が、カーペットの表面とペットの毛等との間の摩擦力より大きいので、ペットの毛等をカーペットの表面から除去することができる。
【００１８】
本実施形態の清掃用品を使用してペットの毛等をカーペットの表面から除去すると、カーペットの表面から除去されたペットの毛等が絡まり合い、且つ、静電気の発生もないので、除去されたペットの毛等は、カーペットの表面及び合成エラストマー２に再付着することはなく、また、合成エラストマー２は耐摩擦性が高いので合成エラストマー２が剥離することはない。
【００１９】
また、本実施形態の清掃用品におけるエラストマーシート１は、洗って干すことにより繰り返し使用することができ、また、十分な耐光性があり、日に当てて干しても合成エラストマー２の剥離がない。更に、本実施形態の清掃用品においては、合成エラストマー２が凹凸加工されたシート状物であるので、清掃面Ｓでカーペットの表面を擦過すると、カーペットに付着したペットの毛だけではなく、カーペットに付着した皮脂汚れを前記凸部２１のエッジで削ぐようにして除去することもできる。更にまた、合成エラストマー２同士が接触したとしてもその接触面積は小さいので、合成エラストマー２間に生じる付着力が小さく、誤って合成エラストマー２同士を付着させてしまうことがない。
【００２０】
本発明の第２実施形態の清掃用品は、エラストマーシートにおける合成エラストマーの形態以外は前記第１実施形態の清掃用品と同様の構成を有しており、対応する部位については説明を省略し、構成の異なる部位についてのみ説明する。
【００２１】
第２実施形態の清掃用品におけるエラストマーシート１は、図２に示すように、不織布からなる、シート状の支持材３の表面に合成エラストマー２’がラミネートされて構成されており、また、該合成エラストマー２’は、部分開孔され、複数の非開孔部２３及び開孔部２４が平面視で縦横に形成されているシート状物である。前記エラストマーシート１は、例えば、表面に吸引孔が設けられた吸引ロールにより、該吸引孔から合成エラストマー２’を吸引しながら支持材３に合成エラストマー２’をラミネートして得ることができる。合成エラストマー２’の表面を部分開孔することで、カーペットに付着している液状の汚れを、合成エラストマー２’を通じて不織布からなる支持材３に吸収させることができる。特に不織布をレーヨン等の吸水性素材から構成することで、カーペットに付着している液状の汚れの吸収保持が一層効果的になる。
【００２２】
合成エラストマー２’の表面を部分開孔する場合、非開孔部２３と開孔部２４との面積比（前者／後者）は、１０／９０〜５０／５０、特に１５／８５〜３０／７０であることが、耐ブロッキング性及び皮脂の捕集性の点から好ましい。
【００２３】
開孔部２４は、円形、三角形や矩形等の多角形、又はこれらの組み合わせからなる独立した形状のものが規則的に又は不規則に配置されて構成されていてもよく、あるいは直線、曲線又はこれらの組み合わせからなる連続した形状のものが規則的に又は不規則に配置されて構成されていてもよい。開孔部２４が独立した形状である場合、個々の開孔部２４の面積は０．０１〜１ｍｍ２、特に０．０５〜０．５ｍｍ２であることが、耐ブロッキング性の点から好ましい。また、隣り合う開孔部２４間の距離は０．０１〜４ｍｍ、特に０．０５〜２ｍｍであることが、耐ブロッキング性及び合成エラストマーの面の有効活用の点から好ましい。
【００２４】
第２実施形態の清掃用品は、第１実施形態に係る清掃用品と同様に、前記エラストマーシート１に、クッション材が貼り付けられて折り返された後、把持部材により把持された使用形態で使用されるのが好ましく、同様の効果を得ることができる。
【００２５】
本発明の第３実施形態の清掃用品は、図３（ａ）及び図３（ｂ）に示すように、断面凸状のクッション材４”の表面の一部に合成エラストマーからなるエラストマーシート１”が設けられており、該クッション材４”の凸部が、断面凹状の把持部材５”の凹部に嵌入固定されて構成されている。即ち、本実施形態の清掃用品は、エラストマーシート１”に加えて、凹部を有する把持部材５”、及び該凹部に嵌入される凸部を有するクッション材４”を更に備え、前記凹部に嵌入された状態のクッション材４”の表面の一部に、エラストマーシート１”が、その合成エラストマーが外側に配置されるように取り付けられて構成されている。ここで、エラストマーシート１”の一部、即ち図３（ａ）において２点鎖線で示す領域が清掃面Ｓ”となっている。このように構成された第３実施形態の清掃用品は、第１及び第２実施形態の清掃用品とは形態が異なるが、同様に使用され、同様の効果を得ることができる。
【００２６】
本実施形態においては、クッション材４”を用いる代わりに、エラストマーシート１”でクッション材４”を兼用させてもよい。
【００２７】
本発明の清掃用品は、前述した実施形態に制限されない。例えば、本発明の清掃用品におけるエラストマーシートは、その表面に合成エラストマーが配置され、該合成エラストマーが清掃面を形成するものであればよく、全体が合成エラストマーから構成されているものであってもよい。シート状の支持材の表面に合成エラストマーを設ける場合は、ラミネート以外の適宜の方法によることができる。
【００２８】
また、図４に示すように、支持材３の両面に合成エラストマー２，２をそれぞれ配して、その両面が清掃面を形成する清掃用品１となしてもよい。各合成エラストマー２，２の最大静止摩擦力は同一でも異なっていてもよい。そして、清掃用品１の一方又は両方の表面に凹凸加工を施して、凸部２１及び凹部２２を形成してもよい。或いは部分開孔してもよい。この実施形態においては、支持材３を不織布から構成する場合、その坪量は１００〜４００ｇ／ｍ２、特に２００〜３００ｇ／ｍ２であることが好ましい。
【００２９】
また、本発明の効果の得られる表面形状であれば、合成エラストマーは、凹凸加工又は部分開孔以外の適宜の形状に形成されたものでもよく、平滑な平面状であっても相応の効果が得られる。支持材は不織布に限らず、例えば、合成樹脂等からなるフィルムでもよい。
【００３０】
第１及び第２実施形態の清掃用品においては、使用者の使い勝手を向上させるために、前述の使用形態での使用を例示しているが、その他、適当な使用形態で使用することができる。例えば、エラストマーシートを数回折り返し、その形態のまま手で掴んで清掃を行ってもよい。
【００３１】
上述した各実施形態においては、被清掃物としてカーペット、該被清掃物に付着した付着物としてペットの毛を例示したが、本発明においては、該被清掃物及び該付着物はそれらに限られない。例えば、被清掃物としては、布製の応接セット又はベットのシーツ等が挙げられ、付着物としては毛髪等が挙げられる。
【００３２】
【実施例】
次に、本発明の清掃用品を、実施例及び比較例を挙げて、更に具体的に説明する。
【００３３】
〔実施例１〕
ウレタン系熱可塑性エラストマー〔日本ミラクトラン製「Ｅ６６０ＭＺＡＡ」、比重：１．１３、硬さ：６０Ａ（ＪＩＳ  Ａ）〕を用い、ポリエステル系スパンボンド不織布〔旭化成製「エスタス（エステル）」、坪量：５０ｇ／ｍ２〕に該合成エラストマーを溶融ラミネート（ダイ温度：１８０℃）により単位面積あたりの質量が３０ｇ／ｍ２になるように積層一体化し、清掃用品（実施品１）とし、この清掃用品の最大静止摩擦力を測定した。評価に用いたカーペットは、住江織物（株）商品名「スミノエタイルカーペット  ＵＳ−３０００」である。その結果、最大静止摩擦力は、２４．５Ｎであった。
【００３４】
前記カーペット上の幅約２０ｃｍ×長さ約２０ｃｍの領域に、セントバーナードの毛０．０５０ｇをなすりつけるようにして散りばめた。図１（ｂ）に示す把持部材５に把持させた状態の清掃用品を、散布領域内で３回往復させ、１ケ所に集まった毛を採取し秤量した。採取された毛の量は０．０４５ｇであった。
【００３５】
〔実施例２〕
ウレタン系熱可塑性エラストマー〔日本ミラクトラン製「Ｅ６６０ＭＮＡＴ」、比重：１．１４、硬さ：６３Ａ（ＪＩＳ  Ａ）〕を用い、ナイロン系スパンボンド不織布〔旭化成製「エスタス（ナイロン）」、単位面積あたりの質量：３０ｇ／ｍ２〕に該合成エラストマーを溶融ラミネート（ダイ温度：１８０℃）により単位面積あたりの質量が１５ｇ／ｍ２になるように積層一体化し、清掃用品（実施品２）とし、この清掃用品の最大静止摩擦力を測定した。その結果、最大静止摩擦力は、２７．４Ｎであった。この清掃用品について実施例１と同様に測定された毛の量は０．０４６ｇであった。
【００３６】
〔実施例３〕
実施例１と同じウレタン系熱可塑性エラストマーを用い、ポリエステル系スパンレース不織布（デュポン製「ソンタラ」、単位面積あたりの質量：４０ｇ／ｍ２）に該合成エラストマーを溶融ラミネート（ダイ温度：１８０℃）により単位面積あたりの質量が３０ｇ／ｍ２になるように積層一体化し、清掃用品（実施品３）とし、この清掃用品の最大静止摩擦力を測定した。その結果、最大静止摩擦力は、２５．５Ｎであった。この清掃用品について実施例１と同様に測定された毛の量は０．０４５ｇであった。
【００３７】
〔実施例４〕
実施例１と同じウレタン系熱可塑性エラストマーを用い、実施例１と同じ不織布に該合成エラストマーを、ドット状のエンボスロールを冷却ロールとして用いて熱可塑性エラストマーの表面に凹凸形状を付与しながら積層一体化し、清掃用品（実施品４）とした。ここで、エンボスロールのドットパターンは、ピッチ：２．１ｍｍ、リピート：１．４ｍｍ、デプス：０．４２ｍｍ、ドットの直径：０．３６ｍｍであり、その他の条件は、実施例１と同じである。この清掃用品の最大静止摩擦力を測定した結果、最大静止摩擦力は、１９．６Ｎであった。この清掃用品について実施例１と同様に測定された毛の量は０．０４９ｇであった。
【００３８】
〔実施例５〕
エンボスロールのドットパターンがピッチ：５．６ｍｍ、リピート：５．８ｍｍ、デプス：０．７ｍｍ、ドットの直径：０．７ｍｍである以外は、実施例４と同様に不織布に合成エラストマーを積層一体化し、清掃用品（実施品４）とし、この清掃用品の最大静止摩擦力を測定した。その結果、最大静止摩擦力は、２２．５Ｎであった。この清掃用品について実施例１と同様に測定された毛の量は０．０４８ｇであった。
【００３９】
〔実施例６〕
実施例１と同じウレタン系熱可塑性エラストマーを用い、実施例１と同じ不織布（但し坪量を３００ｇ／ｍ２に増量）の両面に該合成エラストマーを、ドット状のエンボスロールを冷却ロールとして用いて熱可塑性エラストマーの表面に凹凸形状を付与しながら積層一体化し、清掃用品（実施品６）とした。ここで、エンボスロールのドットパターンは、ピッチ：２．１ｍｍ、リピート：１．４ｍｍ、デプス：０．４２ｍｍ、ドットの直径：０．３６ｍｍであり、その他の条件は、実施例１と同じである。この清掃用品の最大静止摩擦力を測定した結果、最大静止摩擦力は、２４．５Ｎであった。
【００４０】
〔比較例１〕
ポリ塩化ビニリデン〔旭化成（株）製「サランラップ」〕を用いた以外は、実施例１と同様に不織布に前記「サランラップ」を積層一体化し、清掃用品（比較品１）とし、この清掃用品の最大静止摩擦力を測定した。その結果、最大静止摩擦力は、２．０Ｎであった。この清掃用品について実施例１と同様に測定された毛の量は０．００６ｇであった。
【００４１】
〔比較例２〕
ポリオレフィン系熱可塑性エラストマー〔三井化学（株）製「ミラストマー５０３０Ｎ」  比重０．８９  硬さ５０Ａ（ＪＩＳ  Ａ）〕を用いた以外は、実施例２と同様に不織布に合成エラストマーを積層一体化し、清掃用品（比較品２）とし、この清掃用品の最大静止摩擦力を測定した。その結果、最大静止摩擦力は、７．８Ｎであった。この清掃用品について実施例１と同様に測定された毛の量は０．０２０ｇであった。
【００４２】
〔比較例３〕
ＧＯＮＺＯ  Ｃｏ．製の清掃用具であるＴｈｅ  ＧＯＮＺＯ  ＰＥＴ  ＨＡＩＲ  ＬＩＦＵＴＥＲ（商品名）を用意した。この清掃用具はブロック型であり、その清掃面は天然ゴムから構成されていた。この清掃用品の最大静止摩擦力は２４．０Ｎであった。
この清掃用品について以下の方法で清掃完了までのラビング回数、及び清掃用具が破壊するまでのラビング回数を測定した。その結果、清掃完了までのラビング回数は５．０回で、清掃用具が破壊するまでのラビング回数は６回であった。同様の測定を実施例２の清掃用具について行ったところ、清掃完了までのラビング回数は２．５回で、清掃用具が破壊するまでのラビング回数は６０回であった。尚、各測定において、清掃用具とカーペットとの接触面積は何れも同一であった。この結果から、本発明の清掃用具は、摩擦による破壊に強く、長く使用できることが判った。
【００４３】
＜清掃完了までのラビング回数の測定方法＞
最大静止摩擦力の測定に用いたカーペットと同様のカーペットの上に、セントバーナードの被毛０．０５ｇを２０ｃｍ×２０ｃｍの領域になすりつける等にして散りばめた。清掃用具に約２ｋｇの加重をかけて、前記領域の上を擦り、被毛がまとまるか又は無くなるまで擦った回数を測定し、その５回の平均値を清掃完了までのラビング回数とした。
【００４４】
＜清掃用具が破壊するまでのラビング回数の測定方法＞
最大静止摩擦力の測定に用いたカーペットと同様のカーペットを、清掃用具に約２ｋｇの加重をかけて擦り、清掃面が破壊するまで擦った回数を測定し、その５回の平均値を清掃用具が破壊するまでのラビング回数とした。
【００４５】
【発明の効果】
以上、詳述した通り、本発明の清掃用品によれば、カーペット等の被清掃物に付着したペットの毛等の付着物は、被清掃物に再付着することはなく、被清掃物から容易に除去されると共に、洗って干しても問題なく繰り返し使用できる。
【図面の簡単な説明】
【図１】図１（ａ）及び図１（ｂ）は、本発明の第１実施形態の清掃用品を示す図で、図１（ａ）はエラストマーシートを凸部及び凹部を通る面で切断した側断面図、図１（ｂ）はその一使用形態を示す側面図である。
【図２】図２は、本発明の第２実施形態の清掃用品におけるエラストマーシートを、開孔部を通る面で切断した側断面図である。
【図３】図３（ａ）及び図３（ｂ）は、本発明の第３実施形態の清掃用品を示す断面図で、図３（ａ）はエラストマーシートの設けられたクッション材を把持部材に嵌入固定後の状態を示す図であり、図３（ｂ）は該クッション材を把持部材に嵌入固定前の状態を示す図である。
【図４】図４は、本発明の第４実施形態の清掃用品を示す断面図である。
【図１】
0003544177.tif 000002
【図２】
0003544177.tif 000003
【図３】
0003544177.tif 000004
【図４】
0003544177.tif 000005